【手続補正書】
【提出日】平成25年11月21日(2013.11.21)
【手続補正１】
【補正対象書類名】明細書
【補正対象項目名】発明の名称
【補正方法】変更
【補正の内容】
【発明の名称】撮像装置、撮像装置の制御方法、プログラム及び記憶媒体
【手続補正２】
【補正対象書類名】明細書
【補正対象項目名】０００１
【補正方法】変更
【補正の内容】
【０００１】
本発明は、タッチパネル機能を有する表示部と他の表示部とに像を並行して表示させる撮像装置、撮像装置の制御方法、プログラム及び記憶媒体に関する。
【手続補正３】
【補正対象書類名】明細書
【補正対象項目名】００１１
【補正方法】変更
【補正の内容】
【００１１】
本発明は上記従来技術の問題を解決するためになされたものであり、その目的は、状況に応じた表示とタッチ操作の受け付けの制限を可能にし、例えば、タッチパネル機能での誤操作を抑制することができる撮像装置、撮像装置の制御方法、プログラム及び記憶媒体を提供することにある。
【手続補正４】
【補正対象書類名】明細書
【補正対象項目名】００１２
【補正方法】変更
【補正の内容】
【００１２】
上記目的を達成するために本発明の撮像装置は、撮像手段を備えた撮像装置本体に対して、可動自在でかつタッチパネル機能を有した第１の表示部と、第２の表示部とに並行して像を表示させることが可能な撮像装置であって、前記第１の表示部の前記撮像装置本体に対する位置を検出する検出手段と、前記第２の表示部が利用状態であるか否かを判定する判定手段と、前記検出手段により、該第１の表示部の表示面が、前記撮像手段で撮像される被写体側を向いている位置であることを検出し、かつ、前記判定手段により、前記第２の表示部が利用状態であると判定した場合に、前記第１の表示部での表示を行うとともに、前記タッチパネル機能のうち少なくとも１部の機能を無効とするように制御する制御手段と、を有することを特徴とする。
【手続補正５】
【補正対象書類名】特許請求の範囲
【補正対象項目名】全文
【補正方法】変更
【補正の内容】
【特許請求の範囲】
【請求項１】
撮像手段を備えた撮像装置本体に対して、可動自在でかつタッチパネル機能を有した第１の表示部と、第２の表示部とに並行して像を表示させることが可能な撮像装置であって、
前記第１の表示部の前記撮像装置本体に対する位置を検出する検出手段と、
前記第２の表示部が利用状態であるか否かを判定する判定手段と、
前記検出手段により、該第１の表示部の表示面が、前記撮像手段で撮像される被写体側を向いている位置であることを検出し、かつ、前記判定手段により、前記第２の表示部が利用状態であると判定した場合に、前記第１の表示部での表示を行うとともに、前記タッチパネル機能のうち少なくとも１部の機能を無効とするように制御する制御手段と、
を有することを特徴とする撮像装置。
【請求項２】
前記制御手段は、前記第１の表示部において、前記撮像手段で撮像されている画像を逐次表示するスルー画像表示を行うように制御することを特徴とする請求項１に記載の撮像装置。
【請求項３】
前記制御手段は、該第１の表示部の表示面が、前記撮像手段で撮像される被写体側を向いている位置であることを検出し、かつ、前記判定手段により、前記第２の表示部が利用状態でないと判定した場合に、前記第１の表示部での表示を行うように制御するとともに、前記タッチパネル機能を有効とするように制御することを特徴とする請求項１または２に記載の撮像装置。
【請求項４】
前記制御手段は、該第１の表示部の表示面が、前記被写体と反対側を向く位置であることを検出し、かつ、前記判定手段により、前記第２の表示部が利用状態であると判定した場合に、前記第１の表示部での表示を行うとともに、前記タッチパネル機能を有効とするように制御することを特徴とする請求項１乃至３の何れか１項に記載の撮像装置。
【請求項５】
前記制御手段は、前記検出手段により、該第１の表示部の表示面が、前記撮像手段で撮像される被写体側を向いている位置であることを検出し、かつ、前記判定手段により、前記第２の表示部が利用状態であると判定した場合に、前記タッチパネル機能のうち、前記第１の表示部の表面に対する一部の領域のタッチ操作を無効にするように制御することを特徴とする請求項１乃至４の何れか１項に記載の撮像装置。
【請求項６】
前記制御手段は、前記検出手段により、該第１の表示部の表示面が、前記撮像手段で撮像される被写体側を向いている位置であることを検出し、かつ、前記判定手段により、前記第２の表示部が利用状態であると判定した場合に、前記タッチパネル機能のうち、特定の種類のタッチ操作を無効にするように制御することを特徴とする請求項１乃至４の何れか１項に記載の撮像装置。
【請求項７】
前記特定の種類のタッチ操作は、前記第１の表示部の表示面へ１回タッチして離す操作であるシングルタッチ、該表示面へタッチしたまま移動してそのまま離す操作であるフリックの少なくともいずれかであることを特徴とする請求項６に記載に撮像装置。
【請求項８】
前記制御手段は、前記検出手段により、該第１の表示部の表示面が、前記撮像手段で撮像される被写体側を向いている位置であることを検出し、かつ、前記判定手段により、前記第２の表示部が利用状態であると判定した場合に、前記タッチパネル機能のうち、前記第１の表示部の表示面へタッチしたままの移動軌跡が所定条件を満たした場合に機能を発動する操作であるジェスチャ操作、該表示面に表示された特定の表示アイテムをタッチし、該表示面にタッチしたまま特定の場所に移動するドラッグ操作は受付けるように制御することを特徴とする請求項６または７に記載の撮像装置。
【請求項９】
前記制御手段は、前記検出手段により、該第１の表示部の表示面が、前記撮像手段で撮像される被写体側を向いている位置であることを検出し、かつ、前記判定手段により、前記第２の表示部が利用状態であると判定した場合に、前記第１の表示部に警告を表示するように制御することを特徴とする請求項１乃至８の何れか１項に記載の撮像装置。
【請求項１０】
前記第２の表示部は、前記撮像装置本体に備えられた、被写体像を観察するための覗き込み型の表示部であることを特徴とする請求項１乃至９の何れか１項に記載の撮像装置。
【請求項１１】
前記第２の表示部は、前記撮像装置本体に対する収納位置と引き出し位置とに移動可能であり、前記判定手段は、該第２の表示部が該収納位置である場合に利用状態ではないと判定し、該第２の表示部が引き出し位置である場合に利用状態であると判定することを特徴とする請求項９に記載の撮像装置。
【請求項１２】
前記第２の表示部は、前記撮像装置本体に備えられた、前記撮像素子で撮像されている画像を表示するための電子ビューファインダであり、前記判定手段は、該第２の表示部での表示動作が行われているか否かに基づいて前記利用状態であるか否かを判定することを特徴とする請求項１乃至１０の何れか１項に記載の撮像装置。
【請求項１３】
前記第２の表示部は、前記撮像装置本体に備えられた、被写体の光学像を観察するための光学ファインダであり、前記判定手段は、該光学ファインダへの接眼の有無に基づいて前記利用状態であるか否かを判定することを特徴とする請求項１乃至１０の何れか１項に記載の撮像装置。
【請求項１４】
前記第２の表示部は、有線または無線によって当該撮像装置と接続された外部モニタであることを特徴とする請求項１乃至９の何れか１項に記載の撮像装置。
【請求項１５】
前記判定手段は、前記外部モニタが当該撮像撮像装置に接続されていることが検知されているときに、前記利用状態であると判定することを特徴とする請求項１４に記載の撮像装置。
【請求項１６】
前記検出手段は、前記第１の表示部が前記撮像装置本体に対して開閉方向に回動する際の回転軸である第１の軸回りにおける位置を検出する第１の検出手段と、前記第１の表示部が前記撮像装置本体に対して正位置から反転位置まで回動する際の回転軸である第２の軸回りの位置を検出する第２の検出手段を含み、
前記第１の表示部の表示面が、前記撮像手段で撮像される被写体側を向いている位置とは、前記第１の検出手段により検出された前記第１の表示部の前記第１の軸回りにおける位置が閉位置から開位置の方向に第１の所定角度を超えた範囲にあり且つ、前記第２の検出手段により検出された前記第１の表示部の前記第２の軸回りにおける位置が前記正位置から前記反転位置の方向に第２の所定角度を超えた範囲にある場合の位置であることを特徴とする請求項１乃至１５の何れか１項に記載の撮像装置。
【請求項１７】
撮像手段を備えた撮像装置本体に対して、可動自在でかつタッチパネル機能を有した第１の表示部と、第２の表示部とに並行して像を表示させることが可能な撮像装置の制御方法であって、
前記第１の表示部の前記撮像装置本体に対する位置を検出する検出ステップと、
前記第２の表示部が利用状態であるか否かを判定する判定ステップと、
前記検出ステップにより、該第１の表示部の表示面が、前記撮像手段で撮像される被写体側を向いている位置であることを検出し、かつ、前記判定ステップにより、前記第２の表示部が利用状態であると判定した場合に、前記第１の表示部での表示を行うとともに、前記タッチパネル機能のうち少なくとも１部の機能を無効とするように制御する制御ステップと、
を有することを特徴とする撮像装置の制御方法。
【請求項１８】
コンピュータを、請求項１乃至１６の何れか１項に記載された撮像装置の各手段として機能させるプログラム。
【請求項１９】
コンピュータを、請求項１乃至１６の何れか１項に記載された撮像装置の各手段として機能させるプログラムを格納したコンピュータが読み取り可能な記憶媒体。
【請求項２０】
撮像手段を備えた撮像装置本体に対して、可動自在でかつタッチパネル機能を有する第１の表示部と、第２の表示部とに並行して像を表示させることが可能な撮像装置であって、
前記第１の表示部の前記撮像装置本体に対する位置を検出する検出手段と、
前記第２の表示部が利用状態であるか否かを判定する判定手段と、
前記検出手段により、前記第１の表示部の表示面が、前記撮像手段で撮像される被写体側を向く位置にあることが検出され、かつ、前記判定手段により、前記第２の表示部が前記利用状態であると判定された場合に、前記第１の表示部での表示を行うとともに、前記タッチパネル機能の全てを無効とするように制御する制御手段と、
を有することを特徴とする撮像装置。
【請求項２１】
撮像手段を備えた撮像装置本体に対して、可動自在でかつタッチパネル機能を有する第１の表示部と第２の表示部とに並行して像を表示させることが可能な撮像装置であって、
前記第１の表示部の前記撮像装置本体に対する位置を検出する検出手段と、
前記第２の表示部が利用状態であるか否かを判定する判定手段と、
前記検出手段により、前記第１の表示部の表示面が、前記撮像手段で撮像される被写体側を向く位置にあることが検出され、かつ、前記判定手段により、前記第２の表示部が前記利用状態であると判定された場合に、前記第１の表示部での表示を行うとともに、前記第１の表示部の表示面を１回タッチして離す操作であるシングルタッチを無効とするように制御し、前記第１の表示部の表示面へタッチしたまま移動する際の移動軌跡が所定条件を満たした場合に機能を発動する操作であるジェスチャ操作及び／又は、前記表示面に表示された特定の表示アイテムがタッチされ、前記表示面においてタッチされたまま特定の場所に移動される操作であるドラッグ操作の受け付けを可能にするように制御する制御手段と、
を有することを特徴とする撮像装置。
【請求項２２】
撮像手段を備えた撮像装置本体に対して、可動自在でかつタッチパネル機能を有する第１の表示部と、第２の表示部とに並行して像を表示させることが可能な撮像装置の制御方法であって、
前記第１の表示部の前記撮像装置本体に対する位置を検出する検出ステップと、
前記第２の表示部が利用状態であるか否かを判定する判定ステップと、
前記検出ステップにより、前記第１の表示部の表示面が、前記撮像手段で撮像される被写体側を向く位置にあることが検出され、かつ、前記判定ステップにより、前記第２の表示部が前記利用状態であると判定された場合に、前記第１の表示部での表示を行うとともに、前記タッチパネル機能の全てを無効とするように制御する制御ステップと、
を有することを特徴とする撮像装置の制御方法。
【請求項２３】
撮像手段を備える撮像装置本体に対して、可動自在でかつタッチパネル機能を有する第１の表示部と、第２の表示部とに並行して像を表示させることが可能な撮像装置の制御方法であって、
前記第１の表示部の前記撮像装置本体に対する位置を検出する検出ステップと、
前記第２の表示部が利用状態であるか否かを判定する判定ステップと、
前記検出ステップにより、前記第１の表示部の表示面が、前記撮像手段で撮像される被写体側を向く位置にあることが検出され、かつ、前記判定ステップにより、前記第２の表示部が前記利用状態であると判定された場合に、前記第１の表示部での表示を行うとともに、前記第１の表示部の表示面を１回タッチして離す操作であるシングルタッチを無効とするように制御し、前記第１の表示部の表示面へタッチしたまま移動する際の移動軌跡が所定条件を満たした場合に機能を発動する操作であるジェスチャ操作及び／又は、前記表示面に表示された特定の表示アイテムがタッチされ、前記表示面においてタッチされたまま特定の場所に移動される操作であるドラッグ操作の受け付けを可能にするように制御する制御ステップと、
を有することを特徴とする撮像装置の制御方法。
【請求項２４】
コンピュータを、請求項２０または２１に記載された撮像装置の各手段として機能させるプログラム。
【請求項２５】
コンピュータを、請求項２０または２１に記載された撮像装置の各手段として機能させるプログラムを格納したコンピュータが読み取り可能な記憶媒体。